(57)【要約】【課題】ＨＤＲ撮影において、表示モニター上で気付かなかった白飛びしきれなかった領域や黒潰れさせきれなかった領域の映り込みを無くす処理の手間を軽減する。【解決手段】画像を入力する入力部と、所定の明るさを示す第１の基準値を設定する設定部と、画像における処理対象の領域を選択する選択部と、画像において、第１の基準値よりも明るい領域であり、かつ選択部により選択された処理対象の領域である第１の領域に対し、階調を減らす画像処理を行う画像処理部と、を備える。【選択図】図４
2020108116.tif 000002
【特許請求の範囲】
【請求項１】
画像を入力する入力手段と、
所定の明るさを示す第１の基準値を設定する設定手段と、
前記画像における処理対象の領域を選択する選択手段と、
前記画像において、前記第１の基準値よりも明るい領域であり、かつ前記選択手段により選択された処理対象の領域である第１の領域に対し、階調を減らす画像処理を行う画像処理手段と、
を備えることを特徴とする画像処理装置。
【請求項２】
前記第１の基準値は輝度値であることを特徴とする請求項１に記載の画像処理装置。
【請求項３】
前記処理対象の領域は、ユーザが画像上の範囲を指定することにより設定されることを特徴とする請求項１または２に記載の画像処理装置。
【請求項４】
前記入力手段により入力された前記画像を表示する表示手段をさらに備えることを特徴とする請求項１乃至３のいずれか１項に記載の画像処理装置。
【請求項５】
前記第１の基準値は、前記表示手段の表示能力に基づいて設定されることを特徴とする請求項４に記載の画像処理装置。
【請求項６】
前記表示手段は、前記第１の基準値よりも明るい領域を、前記画像の他の領域と区別可能に表示することを特徴とする請求項４または５に記載の画像処理装置。
【請求項７】
前記表示手段は、前記第１の基準値よりも明るい領域を、斜線で表示することを特徴とする請求項６に記載の画像処理装置。
【請求項８】
前記画像処理手段は、前記第１の領域に、階調を無くす画像処理を行うことを特徴とする請求項１乃至７のいずれか１項に記載の画像処理装置。
【請求項９】
前記画像処理手段は、前記第１の領域を、所定の輝度値で塗りつぶす処理を行うことを特徴とする請求項１乃至７のいずれか１項に記載の画像処理装置。
【請求項１０】
前記画像処理手段は、前記第１の領域にぼかしを加える処理を行うことを特徴とする請求項１乃至７のいずれか１項に記載の画像処理装置。
【請求項１１】
前記表示手段は、スタンダードダイナミックレンジの表示手段であり、ハイダイナミックレンジの画像をスタンダードダイナミックレンジの範囲に圧縮して表示することを特徴とする請求項４に記載の画像処理装置。
【請求項１２】
前記表示手段は、ハイダイナミックレンジの表示手段であり、ハイダイナミックレンジの画像を表示することを特徴とする請求項４に記載の画像処理装置。
【請求項１３】
前記入力手段により入力される画像は、ハイダイナミックレンジの画像であることを特徴とする請求項１乃至１２のいずれか１項に記載の画像処理装置。
【請求項１４】
前記入力手段として撮像素子を備えることを特徴とする請求項１乃至１３のいずれか１項に記載の画像処理装置。
【請求項１５】
前記設定手段は、前記第１の基準値よりも暗い第２の基準値をさらに設定し、前記画像処理手段は、前記第２の基準値よりも暗い領域であり、かつ前記選択手段により選択された処理対象の領域である第２の領域に対し、階調を減らす画像処理をさらに行うことを特徴とする請求項１乃至１４のいずれか１項に記載の画像処理装置。
【請求項１６】
画像を入力する入力工程と、
所定の明るさを示す第１の基準値を設定する設定工程と、
前記画像における処理対象の領域を選択する選択工程と、
前記画像において、前記第１の基準値よりも明るい領域であり、かつ前記選択工程において選択された処理対象の領域である第１の領域に対し、階調を減らす画像処理を行う画像処理工程と、
を有することを特徴とする画像処理方法。
【請求項１７】
コンピュータを、請求項１乃至１５のいずれか１項に記載の画像処理装置の各手段として機能させるためのプログラム。
【請求項１８】
コンピュータを、請求項１乃至１５のいずれか１項に記載の画像処理装置の各手段として機能させるためのプログラムを記憶したコンピュータが読み取り可能な記憶媒体。
【発明の詳細な説明】
【技術分野】
【０００１】
本発明は、ＨＤＲ画像に対する画像処理技術に関するものである。
【背景技術】
【０００２】
これまでの撮影よりもより広いダイナミックレンジの画像を撮影出来るハイダイナミックレンジ（ＨＤＲ）撮影という技術が知られている。ＨＤＲ撮影に対して、従来の撮影は、スタンダードダイナミックレンジ（ＳＤＲ）撮影と呼ばれている。
【０００３】
ＳＤＲ撮影では、画像に映り込ませたくない部分をライティングであえて白飛びさせる撮影技法がある。ＨＤＲ撮影では、ダイナミックレンジが広いためライブビュー表示を行ったモニター性能によりライティングで白飛びさせることが出来たかのように見えても実際には階調が残っているということがある。また、ライティングで上手く白飛びさせることが出来ずに階調が残こることがある。そのため、後から階調が残ったことによる余計な映り込みを画像処理により消す作業が必要となる。
【０００４】
従来、このような問題に対する対策として、特許文献１には、ＳＤＲの範囲を超えた輝度値を持っている領域を警告する装置が開示されている。
【先行技術文献】
【特許文献】
【０００５】
【特許文献１】特開２０１７−１３９６１３号公報
【発明の概要】
【発明が解決しようとする課題】
【０００６】
しかしながら、特許文献１に記載されている技術では、ＳＤＲの範囲を超えた輝度値を持っている領域を警告するのみであり、あえて白飛びまたは黒潰れさせたい領域の階調が残ってしまう場合については何ら考慮されていなかった。
【課題を解決するための手段】
【０００７】
本発明に係わる画像処理装置は、画像を入力する入力手段と、所定の明るさを示す第１の基準値を設定する設定手段と、前記画像における処理対象の領域を選択する選択手段と、前記画像において、前記第１の基準値よりも明るい領域であり、かつ前記選択手段により選択された処理対象の領域である第１の領域に対し、階調を減らす画像処理を行う画像処理手段と、を備えることを特徴とする。
【発明の効果】
【０００８】
本発明によれば、ＨＤＲ撮影のようなダイナミックレンジの広い撮影において、白飛びしきれなかった領域や黒潰れさせきれなかった領域の映り込みを無くす処理の手間を軽減することが可能となる。
【図面の簡単な説明】
【０００９】
【図１】本発明の画像処理装置の一実施形態であるデジタルカメラの構成を示すブロック図。
【図２】一実施形態のデジタルカメラの背面図。
【図３】画像処理候補の基準値設定画面を示す図。
【図４】画像処理領域の選択画面と画像処理結果を示す図。
【図５】一実施形態のデジタルカメラにおける撮像動作を示すフローチャート。
【図６】図５のステップＳ５０４で行う処理のフローチャート。
【発明を実施するための形態】
【００１０】
以下、本発明の画像処理装置の一実施形態について、添付図面を参照して詳細に説明する。
【００１１】
図１は、本発明の画像処理装置の一実施形態であるデジタルカメラ１００の構成を示すブロック図である。本実施形態においては、後述する制御部１０１がＲＯＭ１０２に記憶されているプログラムを実行することにより、画像処理機能が実現される。
【００１２】
図１において、制御部１０１は、ＣＰＵ（Central Processing Unit）からなり、デジタルカメラ１００の全体を制御する。ＲＯＭ（Read Only Memory）１０２は、変更を必要としないプログラムやパラメータを格納する。ＲＡＭ（Random Access Memory）１０３は、外部装置などから供給されるプログラムやデータを一時記憶する。外部記憶装置１０４は、デジタルカメラ１００に固定して設置されたハードディスクやフラッシュメモリ、あるいはデジタルカメラ１００から着脱可能なフロッピーディスク（ＦＤ）やCompact Disk（ＣＤ）等の光ディスク、磁気や光カード、ＩＣカード、メモリーカードなどからなる。操作部１０５は、データを入力するボタンやタッチパネルなどを有し、ユーザにより操作される。表示部１０６は、デジタルカメラ１００の保持するデータや供給されたデータを表示する。撮像部１０７は入射光を光電変換し、画像信号を生成するＣＣＤ（Charge Coupled Devices）、ＣＭＯＳ（Complementary Metal Oxide Semiconductor）センサなどの撮像素子を備える。システムバス１０８は、上記の各ブロックを通信可能に接続する。ＲＯＭ１０２には、後述する情報処理プログラムが制御部１０１により読み取り可能なプログラムコードとして格納されており、このプログラムコードを制御部１０１が実行する。
【００１３】
次に、上記のように構成されたデジタルカメラ１００の動作について説明する。まず、動作の概要について説明する。
【００１４】
本実施形態では、ＨＤＲ撮影において画像処理を行う輝度値の上限と下限を、画素の輝度値に対して設定する。具体的には、上限の輝度値を５００ｎｉｔ、下限の輝度値を０．１ｎｉｔに設定する。上限の輝度値５００ｎｉｔを超える領域をＳＤＲ撮影時の白飛びしたかのように見える画像処理を行う候補とする。本実施形態では、図４（ａ）の領域４０１，４０２が候補となる。下限の輝度値０．１ｎｉｔを下回る領域をＳＤＲ撮影時の黒潰れしたかのように見える画像処理を行う候補とする。
【００１５】
次に、この取得した候補の領域をライブビュー画像に重ねて表示し、実際の画像処理対象領域の選択を行う。本実施形態では、画像処理対象として図４（ａ）の領域４０１を選択する。ＨＤＲ撮影時に、画像処理対象候補とした領域に対して階調を無くす画像処理を行うことにより、ＳＤＲ撮影時に行っていた意図的な白飛び、黒潰れ効果と同等の効果が加えられたＨＤＲ画像を得ることができる。本実施形態では、画像処理結果として、図４（ａ）の領域４０１の階調を無くすことにより、図４（ｂ）に示すように、領域４０３が白飛びしているように見える画像を得ることができる。
【００１６】
図２は、本実施形態のデジタルカメラ１００の背面図である。図２では、電源がＯＮされており、ライブビュー画面が表示されている状態を示している。本実施形態のライブビュー画面は、ＨＤＲ表示を行うものとする。
【００１７】
図２において、デジタルカメラ１００の背面には、電源スイッチ２０１、メニューボタン２０２、Ｏｋボタン２０３、Ｃａｎｃｅｌボタン２０４が配置され、カメラの上部にはシャッターボタン２０５が配置されている。電源スイッチ２０１は、デジタルカメラ１００の電源をＯＮ／ＯＦＦするための操作スイッチである。メニューボタン２０２は、操作部１０５の一部であり、設定画面を表示する際に操作される。Ｏｋボタン２０３は、操作の了解を指示するために用いられる。Ｃａｎｃｅｌボタン２０４は、操作のキャンセルを指示するために用いられる。シャッターボタン２０５は、デジタルカメラ１００の撮影動作を指示する。
【００１８】
さらに、デジタルカメラ１００の背面には、ライブビュー画像や設定画面を表示する表示部１０６と操作部１０５の一部であるタッチパネルが一体となった表示装置２０６が配置されている。なお、図２においては、ライティングで白飛びさせたかったが、ＨＤＲの幅広いダイナミックレンジによって、白飛びせずに映り込んでしまった領域２０７が示されている。
【００１９】
図３は、意図的な白飛び処理をＨＤＲ画像に対して行う場合の、明るい方の上限（白飛び基準値）、意図的な黒潰れ処理をＨＤＲ画像に対して行う場合の、暗い方の下限（黒潰れ基準値）を設定する画面を示している。表示部１０６に表示されるライブビュー画像上にここで指定した基準値に達している領域が、画像の他の領域と区別可能に斜線で表示される。
【００２０】
図３の設定画面には、白飛び基準の設定値の入力ボックス３０１が配置されている。本実施形態では、輝度値 ５００ｎｉｔとする。ライブビュー表示されている入力画像に対して、輝度値が５００ｎｉｔ以上の領域を斜線表示で示す。本実施形態では、入力画像に対して白飛び基準値以上の輝度値と判定される領域は、図４（ａ）における領域４０１と領域４０２となる。
【００２１】
また、図３の設定画面には、黒潰れ基準値の設定値の入力ボックス３０２が配置されている。本実施形態では、輝度値 ０．１ｎｉｔとする。ライブビュー表示されている入力画像に対して、輝度値が０．１ｎｉｔ以下の領域を斜線表示で示す。
また、図３の入力ボックス３０１，３０２に設定された設定値をＳＤＲ画像の場合の輝度設定とすることにより、ＳＤＲ画像の撮影時に白飛びする領域、黒潰れする領域を表示することもできる。
【００２２】
図４は、ライブビュー表示画面を示す図である。図４（ａ）は、表示画像に対して、輝度値が白飛び基準値以上の領域、黒潰れ基準値以下の領域の中から実際に画像処理で明るいところの階調を無くす処理を行う領域、暗いところの階調を無くす処理を行う領域を指定する画面を示している。図４（ｂ）は、実際の撮影で画像処理を行った結果の画像を示す。
【００２３】
図４（ａ）においては、白飛び基準値以上の輝度を有する領域、黒潰れ基準値以下の輝度を有する領域が斜線で表示されている。本実施形態では、白飛び基準値以上の輝度値を有する領域４０１を階調を無くす画像処理の対象領域として指定する。一方、領域４０２は白飛び基準値以上の輝度値を有する領域であるが、この領域は階調を無くす画像処理の対象領域として指定しないものとする。なお、図４（ａ）では、黒潰れ基準値以下の輝度を有する領域については、階調を無くす画像処理の対象領域を指定しないものとする。
【００２４】
図４（ｂ）は、上記の指定された領域に対して、明るいところの階調を無くす画像処理、暗いところの階調を無くす画像処理を行った結果を示している。図４（ａ）の画像処理が指定された領域４０１に対応する領域４０３は、階調を無くす処理が行われた結果、白飛び状態となって映り込みが見えなくなっている。また、図４（ａ）の画像処理が指定されなかった領域４０２に対応する領域４０４は、階調を無くす処理が行われていないため、階調が残っている。
【００２５】
図５は、デジタルカメラ１００における撮像動作を示すフローチャートである。図５を用いて、白飛び基準値の設定、黒潰れ基準値の設定を行い、画像処理候補の領域から画像処理対象を指定し、撮影と画像処理を行う動作について説明する。
【００２６】
図５の動作は、ユーザが電源スイッチ２０１をＯＮにし、表示部１０６に図３の階調を無くす処理の基準値を設定する画面が表示された状態からスタートするものとする。なお、本実施形態で撮影する画像は、動画像とするが、静止画像を撮影するように構成してもよい。
【００２７】
まず、ステップＳ５０１において、制御部１０１は、ユーザが入力ボックス３０１に入力した白飛びさせない輝度の上限値を読み取り、白飛び基準値として設定する。本実施形態では、輝度値 ５００ｎｉｔを設定している。
【００２８】
ステップＳ５０２では、制御部１０１は、ユーザが入力ボックス３０２に入力した黒潰れさせない輝度の下限値を読み取り、黒潰れ基準値として設定する。本実施形態では、輝度値 ０．１ｎｉｔを設定している。
【００２９】
ステップＳ５０３では、制御部１０１は、撮像部１０７で撮像された画像信号を取得し、表示部１０６上に表示させる。これにより図２に示すような画面が表示される。
【００３０】
ステップＳ５０４では、制御部１０１は、画像処理対象の候補の表示と画像処理対象領域の設定を行う。ここでは、図３で設定した基準値に基づいて斜線表示された候補領域に対してどの領域を画像処理対象にするかの設定を行う。処理の詳細は後述する。
【００３１】
ステップＳ５０５では、制御部１０１は、ユーザのシャッターボタン２０５の操作により撮影開始指示が行われたか否かを判断する。撮影開始が指示されたと判断した場合は、ステップＳ５０６へ移行する。撮影開始が指示されなかったと判断した場合は、ステップＳ５０３へ移行する。ステップＳ５０３〜ステップＳ５０５を繰り返すことにより、入力画像に対する複数の画像処理対象領域の選択を行うことが出来る。
【００３２】
ステップＳ５０６では、制御部１０１は、ステップＳ５０４において画像処理対象領域の設定があったか否かを判断する。画像処理対象領域の設定があったと判断した場合は、ステップＳ５０７へ移行する。画像処理対象領域の設定がなかったと判断した場合は、ステップＳ５１０へ移行する。
【００３３】
ステップＳ５０７では、制御部１０１は、ステップＳ５０４で指定した画像処理対象領域とその判定基準を取得する。本実施形態では、画像処理を行う領域が図４の領域４０１であり、判定基準値は図３の白飛び基準値５００ｎｉｔであることを取得する。
【００３４】
ステップＳ５０８では、制御部１０１は、ステップＳ５０７で取得した領域の階調を無くす処理を行う。本実施形態では、図４の領域４０１が図３の白飛び基準値である輝度値５００ｎｉｔになるように階調を抑える（階調を無くす）処理を行う。階調を抑える処理は、輝度値５００ｎｉｔとなるＲＧＢ値（所定の値）で塗りつぶすことにより行う。塗りつぶしを行うＲ値とＧ値とＢ値は、全て等しい値とする。
【００３５】
ステップＳ５０９では、制御部１０１は、撮像部１０７からの画像信号に対して上記の画像処理を施した結果を外部記憶装置１０４に記録する。また、ステップＳ５１０では、制御部１０１は、撮像部１０７からの画像信号に対して上記の画像処理を施さずに外部記憶装置１０４に記録する。
【００３６】
ステップＳ５１１では、制御部１０１は、ユーザがシャッターボタン２０５を放して撮影終了指示を行ったか否かを判断する。撮影終了指示があったと判断した場合、本処理フローを終了する。撮影終了指示がなかったと判断した場合、ステップＳ５０６へ戻る。ステップＳ５０６〜ステップＳ５１１の動作が繰り返されることにより、画像処理した動画像、もしくは、画像処理されていない動画像が撮影終了指示が行われるまで外部記憶装置１０４に記録される。
【００３７】
図６は、図５のステップＳ５０４で行う処理のフローチャートである。
【００３８】
ステップＳ６０１では、制御部１０１は、ステップＳ５０３で取得した入力画像の輝度値がステップＳ５０１で設定した輝度値よりも大きい領域があるか否かを判断する。大きい領域があると判断した場合は、ステップＳ６０２へ移行する。大きい領域がないと判断した場合は、ステップＳ６０３へ移行する。本実施形態では、入力画像のそれぞれの画素の輝度値が白飛び基準値とした５００ｎｉｔを超えている領域があるか否かを判断する。図４の領域４０１，４０２がこの領域に該当する。
【００３９】
ステップＳ６０２では、制御部１０１は、ステップＳ６０１で判定した入力画像の輝度値がステップＳ５０１で設定した輝度値よりも大きいと判定された範囲と判定の基準値（ステップＳ５０１で設定した白飛び基準値５００ｎｉｔ）を入力画像に関連付けて記録する。
【００４０】
ステップＳ６０３では、制御部１０１は、ステップＳ５０３で取得した入力画像の輝度値がステップＳ５０２で設定した輝度値よりも小さい領域があるか否かを判断する。小さい領域があると判断した場合は、ステップＳ６０４へ移行する。小さい領域がないと判断した場合は、ステップＳ６０５へ移行する。本実施形態では、入力画像のそれぞれの画素の輝度値が黒潰れ基準値とした０．１ｎｉｔを下回る領域があるか否かを判断する。本実施形態では、特に該当領域はないものとする。
【００４１】
ステップＳ６０４では、制御部１０１は、ステップＳ６０３で判定した入力画像の輝度値がステップＳ５０２で設定した輝度値よりも小さいと判定された範囲と判定の基準値（ステップＳ５０２で設定した黒潰れ基準値０．１ｎｉｔ）を入力画像に関連付けて記録する。
【００４２】
ステップＳ６０５では、制御部１０１は、ステップＳ６０２もしくは、ステップＳ６０４で判定された領域があったか否かを判断する。判定された領域があったと判断した場合は、ステップＳ６０６へ移行する。判定された領域がなかったと判断した場合は、本処理フローを終了する。
【００４３】
ステップＳ６０６では、制御部１０１は、入力画像に対してステップＳ６０２およびステップＳ６０４で判定した範囲を斜線表示する。本実施形態では、図４の領域４０１，４０２が判定された領域であり、斜線表示される。
【００４４】
ステップＳ６０７では、制御部１０１は、画像処理対象領域の指示があったか否かを判断する。画像処理対象領域の指示は、ステップＳ６０６で斜線表示された画像処理対象候補からユーザが操作部１０５により選択し、Ｏｋボタン２０３を押すことで行われる。画像処理対象領域の指示を行わない場合の指示は、画像処理対象候補からの選択操作を行わずに、Ｏｋボタン２０３を押すことで行われる。画像処理対象領域の指示があったと判断した場合は、ステップＳ６０８へ移行する。画像処理対象領域の指示がなかったと判断した場合は、本処理フローを終了する。本実施形態では、ユーザが、斜線表示された図４の領域４０１，４０２のうち領域４０１を選択し、画像処理対象領域として指示したものとする。
【００４５】
ステップＳ６０８では、制御部１０１は、画像処理対象領域として指定された領域とその領域が画像処理対象候補の領域であると判断した判断基準を取得する。本実施形態では、図４の領域４０１を画像処理対象領域として取得し、その判断基準として図３の入力ボックス３０１で設定した白飛び基準値５００ｎｉｔを取得する。
【００４６】
ステップＳ６０９では、制御部１０１は、ステップＳ６０８で取得した画像処理対象領域と画像処理対象候補であると判断した基準値を関連付けて記録する。本実施形態では、画像処理対象領域と白飛び基準値５００ｎｉｔを関連付けて記録する。
【００４７】
ステップＳ６１０では、制御部１０１は、指定された全ての画像処理対象領域と画像処理対象候補であると判断した基準値を取得したか否かを判断する。全て取得終了と判断した場合は、本処理フローを終了する。取得個所が残っていると判断した場合は、ステップＳ６０８へ戻る。ステップＳ６０８〜ステップＳ６１０を繰り返すことにより、ステップＳ６０７で指示された全ての画像処理対象領域と画像処理対象候補であると判断した基準値の取得を行う。
【００４８】
以上の処理によって、本実施形態では、白飛び基準値を超えた図４の領域４０１，４０２のうち、領域４０１を選択して画像処理することにより、ＨＤＲ画像で明るい階調が残ってしまった領域４０１の階調を無くした図４（ｂ）の画像を得ることが出来る。画像処理を行った領域は、図４（ｂ）の領域４０３となる。図４（ｂ）の領域４０４は、画像処理を行う指定を行わなかったので、撮影時の輝度値でそのまま階調が残っている。ＨＤＲ撮影時のダイナミックレンジの広さに起因して写りすぎとなった領域の階調を無くす領域を選択し画像処理を行うことにより、写りすぎた領域を後から修正する手間を軽減できる。
【００４９】
本実施形態では、画像処理を行う基準として、輝度値の上限と下限を設定したが、ライブビュー画像上で画像処理の範囲をタッチパネル上でなぞって指定し、階調を無くす画像処理は別途設定し、それを基準とするように構成してもよい。また、画像処理を行う基準として、輝度値の上限と下限の両方を設定したが、片方だけ設定するように構成してもよい。また、画像処理を行う基準として、輝度値の上限と下限を設定する構成としたが、何も設定しない場合に、初期値としてＳＤＲ（スタンダードダイナミックレンジ）の基準値を設定するように構成してもよい。
【００５０】
ライブビュー画面のＨＤＲ表示の能力（表示能力）に合わせて、白飛び基準値、黒潰れ基準値を設定し、ライブビューにおいてモニターの限界で階調が表現できない個所に対して画像処理を施すように構成してもよい。または、別の方法で基準を設定するように構成してもよい。
【００５１】
本実施形態のライブビュー画面は、ＨＤＲモニターを搭載しＨＤＲ表示を行っているものとしたが、ＳＤＲモニターを搭載しＨＤＲ画像をＳＤＲ画像の範囲に圧縮して表示してもよい。あるいは、ＳＤＲモニター上にそのままＨＤＲ画像を送り、ＳＤＲの制限で白飛び／黒潰れする方法で表示してもよい。この場合、ＳＤＲモニターでは白飛び／黒潰れしているが仮にＨＤＲモニターで表示した場合に階調が残る領域を斜線などで識別可能に表示してもよい。階調が残る領域は、ＨＤＲのダイナミックレンジと画像データの信号値の情報から特定することが可能である。この場合は、ＳＤＲモニター上で白飛び／黒潰れした領域に斜線が重畳表示されることになるが、ユーザは仮に画像をＨＤＲで表示した場合に階調が残る領域を認識できるため、あえて白飛びまたは黒潰れさせる領域を指定することが可能となる。この実施形態は、例えばデジタルカメラ１００のモニターがＳＤＲでの表示能力しか有さない場合に有用である。
【００５２】
本実施形態では、白飛び基準値、黒潰れ基準値によって対象領域となった領域を斜線表示したが、斜線表示以外に、白飛び基準値は白で点滅表示、黒潰れ基準値は黒で点滅表示するようにしてもよい、またはそれ以外の方法で表示してもよい。
【００５３】
本実施形態では、明るいところまたは暗いところの階調を無くす画像処理は、設定した基準の輝度値になるように対象領域を塗りつぶす処理としたが、輝度値に幅を持たせて画像処理をするようにしてもよい。あるいは、画像処理対象領域でぼかしを加えることで階調がなくなるようにしてもよいし、それ以外の画像処理で処理してもよい。
【００５４】
本実施形態では、撮影時に画像処理を行って画像処理後の画像を記録する構成としたが、後から画像処理が出来るようにメタデータを記録し、記録した画像とメタデータをＰＣなどで読み込み画像処理するように構成してもよい。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５６】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【００５７】
１００：デジタルカメラ、１０１：制御部、１０２ＲＯＭ、１０３：ＲＡＭ、１０４：外部記憶装置、１０５：操作部、１０６：表示部、１０７：撮像部
【図１】
2020108116.tif 000003
【図２】
2020108116.tif 000004
【図３】
2020108116.tif 000005
【図４】
2020108116.tif 000006
【図５】
2020108116.tif 000007
【図６】
2020108116.tif 000008